(57)【要約】【課題】壁面を有効に活用でき、既設の吸遮音パネルをリフレッシュする吸遮音パネルのリフレッシュ方法、吸遮音パネル、及びその吸遮音パネルを容易に作製する方法を提供する。【解決手段】防音壁を構成する構造体としての吸遮音パネル１を利用しつつ、その一部をくり抜いてくり抜き部１５を設け、吸音、透光、透視、情報表示、太陽光発電、道路有害物質の捕集からなる群から選ばれた、少なくとも１つの機能を有するパネル２を取り付けることで、上述の如き煩雑な施工を必要とすることなく、防音壁の壁面に吸音性、透光性、透視性、情報の表示、太陽光による発電、道路周辺の有害物質の捕集といった機能を具備させ、その壁面を有効活用することができる。【選択図】　　　　図２
2004060434.tif 000002
【特許請求の範囲】
【請求項１】
多数の開孔を有する前面板とその背後に設けられた背面板とにより形成された中空内に、吸音材が内装された既設の吸遮音パネルの一部をくり抜き、該くり抜き部に、吸音、情報表示、太陽光発電、道路有害物質の捕集からなる群から選ばれた、少なくとも１つの機能を有するパネルを取り付けることを特徴とする吸遮音パネルのリフレッシュ方法。
【請求項２】
既設の吸遮音パネルに取付ける前記パネルとして、大きさや機能等、形態の異なるものを予め複数種類用意し、それらの中から一つ以上のパネルを選択し、該選択したパネルを既設の吸遮音パネルに取り付けることを特徴とする請求項１に記載の吸遮音パネルのリフレッシュ方法。
【請求項３】
既設の吸遮音パネルに対するパネルの取付手段が、複数種類用意した各パネルについて共通であることを特徴とする請求項２に記載の吸遮音パネルのリフレッシュ方法。
【請求項４】
既設の吸遮音パネルに取付けるパネルの内、少なくとも一つは太陽光発電の機能を有するパネルであり、該パネルは、両面受光型の太陽電池により発電されるものであることを特徴とする請求項１〜３のいずれかに記載の吸遮音パネルのリフレッシュ方法。
【請求項５】
太陽電池は、透明板上に遮光性の太陽電池セルが取り付けられたものであって、該太陽電池セルは透明板の透視性を損なわない程度に設けられたものであることを特徴とする請求項４に記載の吸遮音パネルのリフレッシュ方法。
【請求項６】
既設の吸遮音パネルに取付けるパネルの内、少なくとも一つは道路有害物質を捕集する機能を有するパネルであり、該パネルは、窒素酸化物、硫黄酸化物、浮遊粒子状物質からなる群から選ばれた少なくとも１つを捕集するものであることを特徴とする請求項１〜３のいずれかに記載の吸遮音パネルのリフレッシュ方法。
【請求項７】
既設の吸遮音パネルに取付けるパネルの内、少なくとも一つのパネルは、その外面に光触媒が担持されていることを特徴とする請求項１〜６のいずれかに記載の吸遮音パネルのリフレッシュ方法。
【請求項８】
多数の開孔を有する前面板とその背後に設けられた背面板とにより形成された中空内に吸音材が内装された既設の吸遮音パネルの一部をくり抜いてくり抜き部を設け、該くり抜き部に背面板を残して取付部を設け、該取付部に前記遮音パネルを固定することを特徴とする吸遮音パネルのリフレッシュ方法。
【請求項９】
多数の開孔を有する前面板とその背後に設けられた背面板と長手方向の両端に設けられた側面板とにより形成された中空内に吸音材が内装された既設の吸遮音パネルの一部をくり抜いてくり抜き部を設け、前記側面板から前記くり抜き部に突設された取付ボルトに取り付けられた取付金具を用いて前記遮音パネルを固定することを特徴とする吸遮音パネルのリフレッシュ方法。
【請求項１０】
前記ボルトは、少なくとも１つが側面板に予め取り付けられたアイボルトであることを特徴とする請求項９に記載の吸遮音パネルのリフレッシュ方法。
【請求項１１】
多数の開孔を有する前面板とその背後に設けられた背面板とにより形成された中空内に吸音材が内装された既設の吸遮音パネルの一部をくり抜いてくり抜き部を設け、該くり抜き部に、吸音、情報表示、太陽光発電、道路有害物質の捕集からなる群から選ばれた、少なくとも１つの機能を有するパネルが取付けられていることを特徴とする吸遮音パネル。
【請求項１２】
多数の開孔を有する前面板とその背後に設けられた背面板とにより形成された中空内に吸音材が内装された既設の吸遮音パネルの一部をくり抜いてくり抜き部を設け、該くり抜き部に、吸音、情報表示、太陽光発電、道路有害物質の捕集からなる群から選ばれた、少なくとも１つの機能を有するパネルを取り付けることを特徴する吸遮音パネルの作製方法。
【発明の詳細な説明】
【０００１】
【発明の属する技術分野】
本発明は、吸遮音パネルのリフレッシュ方法、吸遮音パネル及びその作製方法に関するものである。
【０００２】
【従来の技術】
従来、道路、鉄道等の側縁に立設されて車両、列車等の騒音を軽減させるための防音壁として多数の開孔を有する前面板とその背後に設けられた背面板とにより形成された中空内に、吸音材が内装された吸遮音パネルが一般的に用いられてきている。この吸遮音パネルは、前面板の開孔より中空内に入射した騒音が吸音材により吸音されるようになされたものである。
【０００３】
【発明が解決しようとする課題】
しかしながら、かかる防音壁に用いられる吸遮音パネルは、吸音材のよる吸音性能と背面板による遮音性能とを兼ね備えるものであるため、防音性能に優れてはいるものの、それ以外に何ら機能を果たすものではなく、広大な壁面を擁する割にはその壁面は有効に活用されていないものである。
【０００４】
更には、この吸遮音パネルは一旦設置されてしまうと、長期間風雨や車両の排気ガス等に曝されて汚れて見苦しいものとなる。かかる吸遮音パネルを新たに作製した吸遮音パネル、吸音パネル及び遮音パネルに変更しようとすると、既に設置された吸遮音パネルを撤去廃棄し、新たに作製した吸遮音パネル、吸音パネル及び遮音パネルを設置し直す必要があることから、例えば最下段の吸遮音パネルを変更する場合の如き、支柱から全ての吸遮音パネルを取り外し、最下段の吸遮音パネルのみを変更してその他の吸遮音パネルを施工し直すといった、煩雑な施工が必要となり、また撤去廃棄する吸遮音パネルが無駄となり、更に廃棄物処理の問題も生じることとなる。
【０００５】
本発明は上記の如き問題点に鑑みてなされたものであり、壁面を有効に活用でき、既設の吸遮音パネルをリフレッシュする吸遮音パネルのリフレッシュ方法、吸遮音パネル、及びその吸遮音パネルを容易に作製する方法を提供せんとするものである。
【０００６】
【課題を解決するための手段】
上記目的を達成するために本発明は次のような構成としている。すなわち、本発明に係わる吸遮音パネルのリフレッシュ方法は、多数の開孔を有する前面板とその背後に設けられた背面板とにより形成された中空内に、吸音材が内装された既設の吸遮音パネルの一部をくり抜き、該くり抜き部に、吸音、情報表示、太陽光発電、道路有害物質の捕集からなる群から選ばれた、少なくとも１つの機能を有するパネルを取り付けることを特徴とするものである。
【０００７】
本発明によるリフレッシュ方法によれば、次のような効果を期待することができる。すなわち、防音壁を構成する構造体として吸遮音パネルを利用しつつ、その一部をくり抜いて吸音、情報表示、太陽光発電、道路有害物質の捕集からなる群から選ばれた、少なくとも１つの機能を有するパネルを取り付けることで、上述の如き煩雑な施工を必要とすることなく、防音壁の壁面に吸音性、情報の表示、太陽光による発電、道路周辺の有害物質の捕集といった機能を具備させ、その壁面を有効活用することができる。
【０００８】
本発明において、既設の吸遮音パネルに取り付けるパネルとして、大きさや機能等、形態の異なるものを規格化して予め複数種類用意し、既設の吸遮音パネルの設置場所や施主の要望等に応じて、それらの中から適合するパネルを適宜選択し、該選択したパネルを既設の吸遮音パネルに取り付けるようにすれば、合理的且つ素早くリフレッシュすることができる。この場合、吸遮音パネルに対するパネルの取付手段を、各パネルについて共通としておけば、大きさの同じパネル間で相互に取り替えが可能となるので好ましい。
【０００９】
本発明において、太陽光発電は、両面受光型の太陽電池によりなされるようにすれば、時間の経過によって変化する太陽の位置にかかわらず太陽電池の受光面に太陽光が当たるので発電効率が高まる。更に太陽電池を透明板上に遮光性の太陽電池セルが取り付けられたものとし、該太陽電池セルを透明板の透視性を損なわない程度に設ければ、このパネルによって周囲の景色を透視できると共に、太陽電池による発電電力を周囲の施設に利用することができる。
【００１０】
また本発明において、パネルが捕集する道路有害物質は、道路周辺に不可避に発生し、且つ人体への健康被害が問題視されている窒素酸化物、硫黄酸化物、浮遊粒子状物質からなる群から選ばれた少なくとも１つであることで、防音壁の壁面を道路周辺の環境保全に活用することができ好ましい。
【００１１】
またパネルとして、その外面に酸化チタン等の光触媒が担持されているものを用いれば、太陽光に含まれる紫外線によって光触媒が活性化し、その活性化によって発現された強い酸化力により、空気中の窒素酸化物や硫黄酸化物等は、硝酸や硫酸等に酸化されて除去され、道路環境を向上させることができる。また活性化された光触媒によりパネルの外面を親水化させ、表面に付着した汚れが雨水等により洗い流されるようにすることもできる。このパネルに加え、吸遮音パネルの外面にも光触媒を担持させれば、道路環境の向上や汚れ防止に対してより効果的である。
【００１２】
更にまた本発明に係わる吸遮音パネルのリフレッシュ方法は、多数の開孔を有する前面板とその背後に設けられた背面板とにより形成された中空内に吸音材が内装された既設の吸遮音パネルの一部をくり抜いてくり抜き部を設け、該くり抜き部に遮音パネルを取り付ける方法であって、前記くり抜き部に背面板を残して取付部を設け、該取付部に前記遮音パネルを固定することを特徴とするものである。
【００１３】
本発明によれば、多数の開孔が設けられた前面板より強度の高い背面板に遮音パネルを取り付けることで、遮音パネルはより強固に吸遮音パネルと一体化される。またくり抜き部を設けた後は、ボルトを挿通する貫通孔の穿設と、ボルト・ナットの螺着等のみでパネルを取り付けることができ、取り付けに係わる手間が小さいものとなる。
【００１４】
更にまた本発明に係わる吸遮音パネルのリフレッシュ方法は、多数の開孔を有する前面板とその背後に設けられた背面板と長手方向の両端に設けられた側面板とにより形成された中空内に吸音材が内装された既設の吸遮音パネルの一部をくり抜いてくり抜き部を設け、該くり抜き部に遮音パネルを取り付ける方法であって、前記側面板から前記くり抜き部に突設された取付ボルトに取り付けられた取付金具を用いて前記遮音パネルを固定することを特徴とするものである。
【００１５】
本発明によれば、くり抜き部及び取付部の形成以外で背面板に加工や部材の取り付けを行う必要がなく、背面板の背面側への部材や取り付けに係わる切粉等の落下を寄り確実に防止することができる。また高い強度を有する側面板に、取付ボルト及び取付金具を介して取り付けを行うことで、遮音パネルは吸遮音パネルに対し強固に固定することができる。
【００１６】
また前記ボルトは、少なくとも１つが側面板に予め取り付けられたアイボルトであれば、側面板に特に加工をすることなく取付金具を取り付けることができ、取り付けに係わる手間を軽減でき、またアイボルトＥは強度の高い部材からなるものであり、取付金具を側面板に強固に取り付けることができ好ましい。
【００１７】
次に本発明に係わる吸遮音パネルは、多数の開孔を有する前面板とその背後に設けられた背面板とにより形成された中空内に吸音材が内装された既設の吸遮音パネルの一部をくり抜き、該くり抜き部に、吸音、情報表示、太陽光発電、道路有害物質の捕集からなる群から選ばれた、少なくとも１つの機能を有するパネルを取り付け、既設の吸遮音パネルに吸音性、情報の表示、太陽光による発電、道路周辺の有害物質の捕集からなる群から選ばれた、少なくとも１つの機能を具備されていることを特徴とするものである。
【００１８】
本発明によれば、吸遮音パネルの一部をくり抜き、くり抜き部以外の部分は防音壁を構成する構造体として用いることから、従来の吸遮音パネルに近似する形態のまま上述の如き機能を具備させることができ、吸遮音パネルを構成する部材の加工方法や取り付けに関する方法等を、従来の吸遮音パネルのものを流用することができる。また吸遮音パネルが既設のものであっても、防音壁に情報の表示、太陽光による発電、道路周辺の有害物質の捕集といった機能を具備させるのに吸遮音パネルを変更する必要がなく、従って施工に係わる煩雑な手間を軽減し、合理的且つ迅速に前記の如き機能を防音壁に具備させることができる。
【００１９】
更に本発明に係わる吸遮音パネルの作製方法は、多数の開孔を有する前面板とその背後に設けられた背面板とにより形成された中空内に吸音材が内装された既設の吸遮音パネルの一部をくり抜き、該くり抜き部に、吸音、情報表示、太陽光発電、道路有害物質の捕集からなる群から選ばれた、少なくとも１つの機能を有するパネルを取り付けることを特徴するものである。
【００２０】
本発明によれば、情報の表示、太陽光による発電、道路周辺の有害物質の捕集といった機能を具備させた吸遮音パネルを容易に作成することができ、また吸遮音パネルにくり抜き部を形成し、そのくり抜き部にパネルを取り付ける等の加工費程度のコストしか発生しないので、上述の如き機能を有する吸遮音パネルを安価に作製することができる。
【００２１】
【発明の実施の形態】
本発明の実施の形態について、図面に基づき以下に具体的に説明する。
図１〜図４は、本発明に係わる実施の一形態を示すもので、図１は吸遮音パネルの一例を示す斜視図及び側断面図、図２はリフレッシュを行う過程を示す説明図、図３及び図４は、リフレッシュされた吸遮音パネルの状態を示す斜視図及び取付部の詳細を示す断面図である。
【００２２】
まず図１において、ａ）に示す如く、吸遮音パネル１の多数の開孔１１を有する前面板１２に示す点線の位置にくり抜き部１５を設ける。くり抜き部１５は、前面板１１側から設けても、背面板１３側から設けてもよく、両側から設けてもよい。ここで吸遮音パネルは、断面図ｂ）に示す如く、前面板１２と背面板１３とにより形成された中空内に吸音材１４が内装されたもので、前面板１２に設けられた多数の開孔１１から中空内に入射された騒音は吸音材１４により吸収され、且つ前面板１２側からの騒音は背面板１３により遮断されることで、優れた吸音性能及び遮音性能を有するものである。防音壁は、かかる吸遮音パネル１を複数段積み上げることで形成されるものであり、その形状は高さ方向に対して垂直でもよく、弯曲状のものでもよい。
【００２３】
次に、図２に示す如く吸遮音パネル１に設けられ、背面板１３までがくり抜かれたくり抜き部１５に、情報表示の機能が具備されたパネル２ａを取り付ける。パネル２ａは、情報表示部２ａ１の周辺に枠体２２が設けられたものである。くり抜き部１５を設けてパネル２ａを取り付けることで、パネル２ａが前面に張り出すことがなく、スペースの制約がある箇所においてもパネル２ａの取り付けが容易である。また、情報表示部２ａ１は、枠体２２によりパネルとなされていることで、取り付けが容易であると共に強度が高められ、屋外に設置した場合でも変形等が起こる恐れを小さくできる。尚、情報表示部２ａ１は本実施形態の如き広告に限定されるものではなく、地図、文字情報、名所などの地域情報、また車道側においては交通上の注意喚起を促す情報表示等を行うものであってよい。また表示される情報は、固定されているものでもよく、発光体や可動膜等を用いて可変するものとしてもよい。
【００２４】
図３は、パネル２ａが吸遮音パネル１に取り付けられた状態を示すもので、情報表示部２ａ１が設けられたパネル２が取り付けられたことで、吸遮音パネル１は情報表示の機能を有するものにリフレッシュされる。また、本実施形態においては、開孔部１１１を残しておくことで、吸遮音パネル１は吸音機能を維持できる。パネル２ａの情報表示部２ａ１は、片面のみに設けてもよく、かかる場合には前面板１２、背面板１３のいずれか一方をくり抜くことなく残してもよい。また前面板１２及び背面板１３を共にくり抜いて、パネル２ａの情報表示部２ａ１を前面、背面の両面に設けてもよい。
【００２５】
くり抜いた吸遮音パネル１のくり抜き部１５にパネル２を取り付ける手段は、特に限定されるものではないが、吸遮音パネル１のくり抜き部１５側を加工して取り付け手段を形成するのは手間であるため、枠材２２を前記くり抜き部１５に嵌合可能な形状とする等、パネル２ａ側にとりつけしゅだんを形成し、パネル２ａを吸遮音パネル１の前面側から、くり抜き部１５に容易に取り付けるようにしておくのが好ましい。
【００２６】
例えば、図４のａ）に示す如く、枠体２２がくり抜き部１５に当接するようにしてもよく、更には図４のｂ）に示す如く、パネル２ａの上部の枠材２２ａと下部の枠材２２ｂとの、それぞれ吸遮音パネル１の前面板１２及び背面板１３のくり抜き部１５の端部が挿入可能な溝幅及び溝間隔で相対向する二つの取付溝２３、２４をそれぞれ形成すると共に、上部の枠材２２ａの取付溝２３を下部の枠材２２ｂの取付溝２４より深く形成する。そしてまずパネル２ａをくり抜き部１５にあてがい、パネル２ａを上方に持ち上げつつ、上部の取付溝２３に、くり抜き部１５上縁の前面板１２及び背面板１３のくり抜き部１５の端部を挿入し、次にその状態で、パネル２ａを下方に落とし、下部の取付溝２４に、くり抜き部１５下縁の前面板１２及び背面板１３のくり抜き部１５の端部を挿入するようにする。かようにしてパネル２ａを、吸遮音パネルの前面側から取り付けるようにすることができる。この取付手段により、吸遮音パネル１に対してパネル２ａを取り外し自在に取り付けられる。
【００２７】
図５及び図６は、パネル２ａの取り付け方法の、他の実施形態を示す説明図及び上断面図である。図５に示す如く、くり抜き部１５に背面板１３を残して取付部１６を設けたものである。この取付部１６にパネル２ａの左右枠材２２ｃ、２２ｄが固定されることで、パネル２ａは吸遮音パネル１に取り付けられる。
【００２８】
図６は、パネル２ａが取り付けられた状態を示す吸遮音パネル１の上断面図である。左右枠材２２ｃ、２２ｄは、ボルト・ナット１７によりそれぞれ取付部１６に固定される。多数の開孔が設けられた前面板１２より強度の高い背面板１３にパネル２を取り付けることで、パネル２ａはより強固に吸遮音パネル１と一体化される。またくり抜き部１５を設けた後は、ボルトを挿通する貫通孔の穿設と、ボルト・ナット１７の螺着のみでパネル２ａを取り付けることができ、取り付けに係わる手間が小さいものとなる。
【００２９】
図７及び図８は、本発明に係わる吸遮音パネルのリフレッシュ方法の、実施の一形態を示すもので、図７は取付金具の取付を示す説明図、図８は遮音パネルの取付方法を示す図７におけるＡ−Ａ断面図である。図５及び図６の場合と同様に、既設の吸遮音パネル１の一部がくり抜かれてくり抜き部１５が設けられ、くり抜き部１５に背面板１３が残されて取付部１６が形成されるが、取付部１６に取付金具を取り付けるボルト孔１６１が穿設され、ボルト孔１６１及び断面略Ｚ字形状の取付金具４Ａに穿設された貫通孔４Ａ１に挿通されたボルト１７ａが、背面板１６に引っ掛けられたクリップナットＣＮに螺着されることで取付金具４Ａは取付部１６に固着される。
【００３０】
図８において、取付金具４Ａに穿設されたもう１つの貫通孔４Ａ２の背面板側にはナットＮが溶接等により固着され、取り付けられる遮音パネル２は図５に示したものと同様に遮音板２１の周囲に枠体２２が形成されたものであり、左右縦の枠材２２の一部にボルトを挿通するボルト孔２２１が穿設され、ボルト孔２２１に挿通されたボルト１７ｂが、更に取付金具４Ａの貫通孔４Ａ２に挿通されてナットＮに螺着されることで、遮音パネル２は取付金具４Ａを介して吸遮音パネル１の取付部１６に固定され、最後にボルト１７ｂは枠体２２にヒンジ構造Ｈにより取着された外装部２２２により隠されるようになされている。
【００３１】
かかる方法により遮音パネル２を取り付けることで、上述の如く遮音パネル２が吸遮音パネル１と強固に一体化され、取り付けに係わる手間を小さいものとできると共に、クリップナットＣＮ及び取付金具４Ａを用いることで、遮音パネル２の取り付けに係わる部材類が吸遮音パネル１の背面側に落下する恐れを小さくでき、取り付けに係わる作業を安全なものとできる。とりわけ、既存の吸遮音パネル１が高架道路側縁に設置されている場合には、背面板１３の背後が道路や民家である場合には部材の落下は重大な問題とされ、その防止対策は万全が求められるものである。
【００３２】
ここで遮音パネル２は、遮音板２１の周囲に枠体２２を形成したものであれば、その遮音板２１に上述の如く地図、文字情報、名所などの地域情報、また車道側においては交通上の注意喚起を促す情報表示等に係わる記載を行ったり、発光体や可動膜等を用いて可変するものとしてもよい。また上記の遮音板２１の周囲に枠体２２を形成したものに限定されず、遮音性を有するものであれば平板状のものや筺状のもの、または箱状体に吸音材を内装したもの等を適宜用いてよい。
【００３３】
図９〜図１２は、本発明に係わる吸遮音パネルのリフレッシュ方法の、更に他の実施形態を示すもので、図９は取付金具の取付方法を示す説明図、図１０は遮音パネルの取り付けを示す説明図、図１１は遮音パネルの取付方法を示す図９に示すＢ−Ｂ断面図、図１２は側面板へのボルトの突設方法の一例を示す図９に示すＢ−Ｂ断面図である。まず図９において、図７に示したものと同様に、既設の吸遮音パネル１の一部がくり抜かれてくり抜き部１５が設けられ、くり抜き部１５に背面板１３が残されて取付部１６が形成されるが、くり抜き部１５から吸音材が全て取り除かれて長手方向の両端に側面板１８が取り付けられている。
【００３４】
側面板１８から、くり抜き部１５側にボルト５が突設され、ボルト５に対し、断面Ｌ字型で、Ｌ字を形成する壁面それぞれにボルト孔４Ｂ１、４Ｂ２が穿設されている。取付金具４Ｂの壁面に穿設されたボルト孔の内、一方のボルト孔４Ｂ１に対して取付ボルト５が挿通され、取付ボルト５にナットＮが螺着されることで取付金具４Ｂは側面板１８に固着される。尚、Ｌ字型の取付金具４Ｂは、取り付ける方法を逆、すなわちボルト孔４Ｂ１が手前側にくるようにしてもよい。
【００３５】
図１０において、吸遮音パネル１に取り付けられる遮音パネル２は、図７に示したものと同様に、遮音板２１の周囲に枠体２２が形成されたものであるが、左右縦の枠体２２にボルト孔２２１が穿設され、そのボルト孔２２１及び取付金具４Ｂの、他方の壁面に穿設されたボルト孔４Ｂ２にボルト１７が挿通されることで遮音パネル２は取付金具４Ｂを介して側面板１８からくり抜き部１５に突設されたボルト５に固定される。
【００３６】
図１１に、図９及び図１０における取付方法の詳細を示すが、側面板１８は前面板１２及び背面板１３に対して、溶接Ｙ等により強固に固着されているものである。取付金具４Ｂのボルト孔４Ｂ２の背面板１３側にはナットＮが溶接等により固着され、枠体２２のボルト孔２２１及び取付金具４Ｂのボルト孔４Ｂ２に挿通されたボルト１７はそのナットＮに螺着される。また枠体２２の背面板側の面が、遮音パネル２が取り付けられた際に取付部１６と当接するようになされていれば、取付金具４Ｂ及び取付部１６の２点により遮音パネル２が支持され、遮音パネル２は吸遮音パネル１に対してより強固に取り付けられ好ましい。
【００３７】
本図において、側面板１８からくり抜き部１５に突設されたボルト５は既存の吸遮音パネル１に、吸遮音パネル１の落下防止用の索条を挿通するために予め取着されているアイボルトＥのボルト部分である。かかるアイボルトＥを利用することで、側面板１８に特に加工をすることなく取付金具４Ｂを取り付けることができ、取り付けに係わる手間を軽減できる。更にアイボルトＥは強度の高い部材からなるものであり、取付金具４Ｂを側面板１８に強固に取り付けることができる。
【００３８】
かかる方法により吸遮音パネル１に遮音パネル２を取り付けることで、くり抜き部１５及び取付部１６の形成以外で背面板１３に加工や部材の取り付けを行う必要がなく、背面板１３の背面側への部材や取り付けに係わる切粉等の落下を寄り確実に防止することができる。また高い強度を有する側面板１８に、取付ボルト５及び取付金具４Ｂを介して取り付けを行うことで、遮音パネル２は吸遮音パネル１に対し強固に固定することができる。更に側面板１８が吸遮音パネル１を支持するＨ型支柱のフランジ間に挟持される位置にあれば、側面板１８は極めて強固な構造となり、その側面板１８に遮音パネル２が取り付けられれば風荷重や衝撃荷重に対し、遮音パネル２は構造的に強固なものとなり得る。
【００３９】
一般に吸遮音パネル１において、アイボルトＥは１体の側面板１８に対し１つが取り付けられており、１つのアイボルトＥのみに取付金具４Ｂを取り付けるのではがたつき等の恐れがある。従って一体の側面板１８から複数のボルト５を突設させて取付金具４Ｂを取り付けるのが好ましい。アイボルトＥ以外に側面板１８から突設されるボルト５は、側面板１８に溶接等により取着させてもよいが、ワンサイドボルトを取り付けることで下孔を穿設するのみで容易にボルト５を突設させることができる。ワンサイドボルトの一例を図１２に示すが、ワンサイドボルトＫは、取付ボルト５と一体であるねじ頭部Ｋ１、拡張部Ｋ２、押さえ部Ｋ３及び緩み止めナットＫ４からなり、押さえ部Ｋ３と緩み止めナットＫ４は固着され、取付ボルト５は緩み止めナットＫ４に螺着されている。
【００４０】
かかるワンサイドボルトＫを側面板１８に固定するには、まずねじ頭部Ｋ１及び拡張部Ｋ２が側面板１８に穿設された下孔１８１に挿通される。次にねじ頭部Ｋ１と一体となされた取付ボルト５をねじ頭部Ｋ１が側面板１８に近づく方向にねじ回してゆくと、切れ込みの入った拡張部Ｋ２が拡張され、拡張部Ｋ２と押さえ部Ｋ３との間に側面板１８が挟持されることで、ワンサイドボルトＫが側面板１８に固定され、取付ボルト５が側面板１８から突設される。
【００４１】
図１３及び図１４は、本発明に係わるパネルの他の実施形態を示す説明図及び側断面図である。図１３に示す如く、透明板により形成された太陽電池モジュール２ｂ１の周囲に枠体２２を形成し、太陽光による発電機能を有するパネル２ｂが形成されている。かかるパネル２ｂを吸遮音パネル１のくり抜き部１５に取り付けることで、吸遮音パネル１には太陽光による発電機能が具備されることとなる。
【００４２】
図１４は、パネル２ｂが取り付けられた吸遮音パネル１の状態での取付部周辺及び枠体の詳細を示す側断面図であり、ａ）に示す如く、太陽電池モジュール２ｂ１は、太陽電池セル２５が透光性の保護部材２６の間に接着性の合成樹脂２７により封止されているものである。太陽電池セル２５は、両面受光型のものを用いることで発電効率を高めることができる。また枠材２２はｂ）に示す如きものであってもよく、吸遮音パネル１の面上に降った上方よりの雨水を水受け３１で受けると共に、その水受け部３１で受けた雨水Ｗが導水部３２を伝って、太陽電池モジュール２ｂ１の面上に導かれるようになされたものである。
【００４３】
かかる構造とすることで、吸遮音パネル１の一方の面に降雨が直接受けにくい状態に設置されている場合においても、水受け部３１で受けた雨水は導水部３２によって降雨を直接受けにくい側の面に導かれるようになされる。この導水枠３により、降雨に晒されやすい面は雨が直接当たることで洗浄され、降雨を直接受けにくい面も導水枠３によって導かれた雨水により洗浄され、太陽電池モジュール２ｂ１の外面の汚染による発電効率の低下や、周囲の景観が見づらくなることを未然に防止できる。
【００４４】
図１５は、本発明に係わるパネルの、他の実施形態を示す説明図である。パネル２ｃは、窒素酸化物、硫黄酸化物及び浮遊粒子状物質等の道路有害物質の捕集手段２ｃ１が設けられ、その捕集手段２ｃ１が枠材２２により支持されて形成されている。捕集手段２８は特に限定されるものではないが、光触媒を含有させた被覆層や、光触媒を担持させた多孔質層、前記有害物質を吸着する吸着材などを用いてよい。本実施形態においては、捕集手段２ｃ１を鋸刃状にすることで、表面積の拡大により捕集効率の向上を図っている。
【００４５】
かかるパネル２ｃを吸遮音パネル１のくり抜き部１５に取り付けることで、吸遮音パネル１や、吸遮音パネル１を用いて形成した防音壁に、道路有害物質の捕集機能を容易に具備させることができ、壁面の有効活用を図ることができる。
【００４６】
図１６及び図１７は、本発明に係わる他の実施形態を示す説明図及び側断面図であり、パネルが吸音性を有するものである。吸遮音パネル１に内装される吸音材１４は時間の経過と共に劣化し、その吸音性能は低下してゆくが、前面板１２の汚れ等の理由により本発明に係わるリフレッシュ方法を適用する際、くり抜き部１５に、吸音材等を内装し、前面板２８に穿設された開孔２９から騒音を導入することで吸音性を具備したパネル２ｄを取り付けることで吸音性能の回復を図ることができる。更には、吸遮音パネル１の吸音材１４が劣化して吸音性能が低下したときや、元の吸遮音パネル１のみでは吸音性能が不足する場合などに、くり抜き部１５を設けて新規の吸音材や、更に吸音性能の高い吸音材を内装したパネル２ｄを取り付けることで、吸遮音パネル１全体を変更することなく容易に所望の吸音性能を得ることが可能となる。
【００４７】
パネル２ｄは、図１７に示す如き断面のものであってよい。ａ）に示すのは、パネル２ｄの前面板２８に開孔２９を設けて騒音を吸音材２ｄ１に入射させて吸音機能を具備させ、更に遮音板２ｄ２を吸音材２ｄ１の騒音到来方向と反対側に設けて遮音機能を具備させたものである。またｂ）に示す如く、遮音性能を具備させる遮音板２ｄ２を挟んで両側に吸音材２ｄ１及び開孔２９を設けた前面板２８を配置し、パネル２ｄの両面からの騒音に対して吸音機能及び遮音機能を具備するものとしてもよい。
【００４８】
尚、本発明に係わるパネル２の外面に、酸化チタン等の光触媒を担持させ、この光触媒を紫外線により活性化させ、その活性化によって発現された強い酸化力におり、周辺の空気中に含まれる汚染物質としての窒素酸化物、硫黄酸化物等を除去させたり、活性化された光触媒により吸遮音パネル１やパネル２の外面を親水化させ、表面に付着した汚れが雨水等により洗浄されるようにしてもよい。この場合、前記の導水枠３を設け、光触媒を担持させたパネル２の面に雨水を導き、雨水によって洗浄するようにすれば、光触媒と導水枠３とにより効果的な洗浄が期待できる。
【００４９】
【発明の効果】
本発明による吸遮音パネルのリフレッシュ方法によれば、次のような効果を期待することができる。すなわち、防音壁を構成する構造体として吸遮音パネルを利用しつつ、その一部をくり抜いて吸音、情報表示、太陽光発電、道路有害物質の捕集からなる群から選ばれた、少なくとも１つの機能を有するパネルを取り付けることで、上述の如き煩雑な施工を必要とすることなく、防音壁の壁面に吸音性、情報の表示、太陽光による発電、道路周辺の有害物質の捕集といった機能を具備させ、その壁面を有効活用することができる。
【００５０】
また本発明に係わる吸遮音パネルによれば、吸遮音パネルの一部をくり抜き、くり抜き部以外の部分は防音壁を構成する構造体として用いることから、従来の吸遮音パネルに近似する形態のまま上述の如き機能を具備させることができ、吸遮音パネルを構成する部材の加工方法や取り付けに関する方法等を、従来の吸遮音パネルのものを流用することができる。また吸遮音パネルが既設のものであっても、防音壁に情報の表示、太陽光による発電、道路周辺の有害物質の捕集といった機能を具備させるのに吸遮音パネルを変更する必要がなく、従って施工に係わる煩雑な手間を軽減し、合理的且つ迅速に前記の如き機能を防音壁に具備させることができる。
【００５１】
更にまた本発明に係わる吸遮音パネルの作製方法によれば、情報の表示、太陽光による発電、道路周辺の有害物質の捕集といった機能を具備させた吸遮音パネルを容易に作成することができ、また吸遮音パネルにくり抜き部を形成し、そのくり抜き部にパネルを取り付ける等の加工費程度のコストしか発生しないので、上述の如き機能を有する吸遮音パネルを安価に作製することができる。
【図面の簡単な説明】
【図１】本発明に係わる吸遮音パネルの、一例を示す説明図である。
【図２】本発明に係わる実施の一形態を示す説明図である。
【図３】本発明に係わる実施の一形態を示す説明図である。
【図４】本発明に係わる実施の一形態を示す断面図である。
【図５】本発明に係わる実施の一形態を示す説明図である。
【図６】本発明に係わる実施の一形態を示す断面図である。
【図７】本発明に係わる吸遮音パネルのリフレッシュ方法の、実施の一形態を示す断面図である。
【図８】本発明に係わる吸遮音パネルのリフレッシュ方法の、実施の一形態を示す上断面図である。
【図９】本発明に係わる吸遮音パネルのリフレッシュ方法の、更に他の実施形態を示す説明図である。
【図１０】本発明に係わる吸遮音パネルのリフレッシュ方法の、更に他の実施形態を示す説明図である。
【図１１】本発明に係わる吸遮音パネルのリフレッシュ方法の、更に他の実施形態を示す上断面図である。
【図１２】ワンサイドボルトの一例を説明する上断面図である。
【図１３】本発明に係わるパネルの、実施の一形態を示す説明図である。
【図１４】本発明に係わる実施の一形態を示す断面図である。
【図１５】本発明に係わるパネルの、実施の一形態を示す説明図である。
【図１６】本発明に係わるパネルの、実施の一形態を示す説明図である。
【図１７】本発明に係わるパネルの、実施の一形態を示す断面図である。
【符号の説明】
１　　吸遮音パネル
１１　開孔
１２　前面板
１３　背面板
１４　吸音材
１５　くり抜き部
１６　取付部
１８　側面板
２　　パネル（遮音パネル）
２１　遮音板
２ａ１　情報表示部
２ｂ１　太陽電池モジュール
２ｃ１　捕集手段
２ｄ１　吸音材
２ｄ２　遮音板
２２　枠材
３　　導水枠
３１　水受け部
３２　導水部
４Ａ、４Ｂ　取付金具
５　　取付ボルト
【図１】
2004060434.tif 000003
【図２】
2004060434.tif 000004
【図３】
2004060434.tif 000005
【図４】
2004060434.tif 000006
【図５】
2004060434.tif 000007
【図６】
2004060434.tif 000008
【図７】
2004060434.tif 000009
【図８】
2004060434.tif 000010
【図９】
2004060434.tif 000011
【図１０】
2004060434.tif 000012
【図１１】
2004060434.tif 000013
【図１２】
2004060434.tif 000014
【図１３】
2004060434.tif 000015
【図１４】
2004060434.tif 000016
【図１５】
2004060434.tif 000017
【図１６】
2004060434.tif 000018
【図１７】
2004060434.tif 000019